(57)【特許請求の範囲】
【請求項１】
畳表面の泥を除去する清浄装置において、筐体と、筐体内部に回転して畳表を清浄するブラシと、清浄する畳を載置するテーブルと、上記テーブルを昇降させる装置と、断面がＬ字形となった畳縁のカバーを兼ねたストッパーと、畳の上昇位置を検知するセンサーとを具備し、
上記テーブルを上昇させて、畳を上記ストッパーに押しつけた後には、上記ストッパーが畳と上記テーブルと共に上昇し、所定の高さで上記センサーによって畳の上昇位置を検知して上昇を停止し、
上記テーブルの停止後に、運転スイッチの操作によって筐体が移動して畳表を清浄する際に往路と復路ではブラシの回転方向を逆方向にして清浄することを特徴とする畳の清浄装置。
【請求項２】
上記ブラシは、畳の長さ方向に配置された軸に螺旋状に取り付けられていることを特徴とする請求項１記載の畳の清浄装置 。
【請求項３】
畳の一端側の畳縁はマスクし、もう一端側の畳縁は上記ブラシが接触しないように筐体の往復移動を制御することを特徴とする請求項１又は請求項２記載の畳の清浄装置。
【請求項４】
ブラシに付着した泥や埃を除去するブラシ清浄板を具備し、上記ブラシ清浄板側へ移動させてブラシの先端を回転させながら当接させることを特徴とする請求項１乃至請求項３のいずれかに記載の畳の清浄装置。
【発明の詳細な説明】
【０００１】
【発明の属する技術分野】
この発明は、畳表面の清浄装置に関し、特に新しい畳表に付着している染土用の泥や埃を畳の製造工程中に除去するように構成したものである。
【０００２】
【従来の技術】
畳表は製造工程において、刈り取った藺草を染め土の中に浸し、この藺草を乾燥させて製織加工している。この泥染め工程を経ることにより、青緑の畳表を得ることができる。
【０００３】
この染め土は、畳製造中の変色を抑える効果があるため、畳に仕上げたあと、人手によりブラシで除去したり、ブラシを回転させながら畳表の表面の泥を除去する方法が取られている。
【０００４】
【発明が解決しようとする課題】
畳床に新しい畳表を縫着した畳は、その畳表に付着している泥や埃を出荷前に取り除かねばならない。取り除く方法としては最近ではブラシを回転させてこれらを除去する機械が使用されている。しかし、ブラシの回転が一方向であるため、ブラシに癖がつき、そのために毛先が畳表の隙間まで入りこみにくくなる。この結果、付着している泥や埃が落ちにくくなったり、落ちるところと落ちないところすなわち斑になったりするところが発生していた。
【０００５】
また、ブラシ本体にも泥や埃が付着するため、長期間使用するとブラシの毛と毛の間に泥が堆積し毛が堅くなり、毛本来のしなりがなくなるため畳表の泥の除去が充分に行えなくなるという課題を有していた。
【０００６】
【課題を解決するための手段】
上記課題を解決するため本発明は、畳表面の泥を除去する清浄装置において、筐体と筐体の内部に清浄のために具備されたブラシが回転しながら畳の幅方向に共に移動し畳表を清浄にする。
【０００７】
筐体及びブラシは畳表上を往復動し、前進時と後退時では清浄効果をあげるため、またブラシに癖がつかないようにするために回転方向を逆方向にしている。そのためにブラシは長期間使用しても常に毛先が畳表の隙間まで充分に入り込むため、その耐久性を飛躍的に向上させることができる。
【０００８】
また、本清浄装置にはブラシに付着した泥や埃を除去するためにブラシ清浄手段としてブラシ清浄板を具備している。ブラシを回転させながらブラシの毛先がブラシ清浄板に軽く接触するまで筐体を移動させることにより、泥や埃を除去するようにしている。このブラシ清浄板の具備により、ブラシは長期間使用しても毛と毛の間に泥や埃が堆積することが無く、毛本来のしなりをほぼ永久に保持しその劣化を防ぐことができる。
【０００９】
【発明の実施の形態】
本発明の畳の清浄装置は、畳１７（畳の上面である畳表の面）を所定の位置に昇降するテーブル５と畳表面上を畳１７の幅方向に走行する筐体１とこれを支持する移動フレーム１０、筐体内に畳の長手方向に装備された軸２に螺旋状に取り付けられたブラシ３、筐体１に取り付けられたダクト４を介して筐体と接合された集塵装置１５及びブラシに付着した泥を除去するためのブラシ清浄板１３とを具備し、畳表に付着している泥や埃を除去するように構成されている。
【００１０】
畳１７を、テーブル５に載せ、運転スイッチ（図示せず。フットスイッチなど任意のスイッチで可）をＯＮにすると押し上げ装置１１によりテーブル５を上昇させ畳１７をストッパー１２に押しつける。このストッパー１２は畳１７及びテーブル５と共に上昇し、所定の高さにきたときにセンサー１８が畳１７の上昇位置を検知して上昇を停止する。また、このストッパー１２は縁の汚れ防止のために断面がＬ字形となって畳縁のカバーを兼ねている。
【００１１】
ブラッシング装置は、図２の正面図及び図３に示すように筐体１に具備されたモーター６とこれによりベルト９、プーリー７，８を介して回転する軸２及びこれに取り付けられたブラシ３から構成されている。
【００１２】
ブラシ３の回転方向は筐体１の前進（図２で右側）、後退時では自動的に逆転する機構としている。この方法によりブラシは畳表を斑なく清浄することとブラシの曲がり癖が付くことを防止することができる。またブラシ先端の周速は高速としておりブラッシング回数が多いことを特徴としている。
【００１３】
ブラッシング装置のブラシ３は図４に示すように回転軸に直角に且つ軸方向に螺旋状に具備されている。螺旋ピッチは密にして畳表を斑なく清浄できるようにされている。
【００１４】
ブラッシング装置を具備した筐体１は移動フレーム１０により支持されている。この移動フレーム１０は畳１７が所定の位置にセットされ、運転スイッチをＯＮすると前進を開始する。移動フレーム１０に具備された光電センサー１６が畳１７の床端を検知すると、タイマー制御でストッパー１２でカバーされていない側の畳縁のギリギリまでブラッシングする。そしてタイムアップすると走行モーター１９が前進から後退に切り替わる。切り替わるまでのタイマーは縁幅に応じて調整可能となっている。
【００１５】
ブラシ３が前進時とは逆回転となり、後退しながらブラッシングを行う。そして筐体１が待機位置（原点位置）へ戻ると原点センサー（図示せず）が検知することにより動作が完了し、ブラシ３、集塵機１５の回転は停止し、テーブル５は下降する。もちろんブラッシングは一往復だけでなく複数回往復させるようにしても良い。また、往復動の回数を作業者が設定するようにしてもよいのである。
【００１６】
本発明の清浄装置にはブラシ３の軸２に対して平行に所定の高さを有するブラシ清浄板１３を具備している。（図２及び図５参照）ブラッシング装置をブラシ清浄板１３側へ移動させ、ブラシ３の先端が回転しながらブラシ清浄板１３に当たる位置にセンサー（図示せず）でブラッシング装置を停止させ、ブラシ３に付着した泥や埃を除去して集塵機１５で集塵する。この装備によりブラシ本体は常に清潔な状態を維持しながら、畳表を清浄する。
【００１７】
センサーの位置を調整することによってブラシ３のブラシ清浄板１３への当たり具合を任意に調整できるようにしておくとよい。また、上記に説明したブラッシングの往復動の毎又は往復動所定回数毎に上記のブラシ３の清浄動作を行うような制御としてもよいのである。
【００１８】
【発明の効果】
以上の実施の形態に基づく説明から明らかなように、この発明の畳の清浄装置によると、作業環境の悪い出荷前の清浄作業を自動化により、短時間に清浄度の高い畳を提供することができる。
【図面の簡単な説明】
【図１】  この発明の畳の清浄装置の斜視図
【図２】  図１に示す装置の側面図
【図３】  筐体とその内部のブラッシング装置の正面図
【図４】  ブラシの軸への取り付け図
【図５】  ブラシ清浄板によるブラシの清掃状況を示す図
【符号の説明】
１  筐体
２  軸
３  ブラシ
４  ダクト
５  テーブル
６  モーター
７  プーリー
８  プーリー
９  ベルト
１０  移動フレーム
１１  テーブル押し上げ装置
１２  ストッパー
１３  ブラシ清浄板
１４  トレー
１５  集塵機
１６  光電センサー
１７  畳
１８  センサー
１９  走行モーター
【図１】
0004403262.tif 000002
【図２】
0004403262.tif 000003
【図３】
0004403262.tif 000004
【図４】
0004403262.tif 000005
【図５】
0004403262.tif 000006